(57)【要約】【課題】  楽器本体を大型化することなく、シャーシの撓みを抑制できるとともに、組立および分解を容易に行うことができる鍵盤楽器の鍵盤装置を提供する。【解決手段】  棚板３に載置されたシャーシ４と、シャーシ４に回動自在に支持された複数の鍵５と、棚板３のシャーシ４を載置した面と反対側の面に取り付けられるとともに、シャーシ４に連結され、シャーシ４を補強するリブ８と、を備える。また、リブ８は、棚板３に沿って延びており、棚板３に取り付けられた取付部８ａと、取付部８ａから屈曲して延びる屈曲部８ｂと、によって構成されている。【選択図】  図１
2006047837.tif 000002
【特許請求の範囲】
【請求項１】
棚板と、
当該棚板に載置されたシャーシと、
当該シャーシに回動自在に支持された複数の鍵と、
前記棚板の前記シャーシを載置した面と反対側の面に取り付けられるとともに、前記シャーシに連結され、当該シャーシを補強するリブと、
を備えていることを特徴とする鍵盤楽器の鍵盤装置。
【請求項２】
前記リブは、前記棚板に沿って延びており、当該棚板に取り付けられた取付部と、当該取付部から屈曲して延びる屈曲部と、によって構成されていることを特徴とする、請求項１に記載の鍵盤楽器の鍵盤装置。
【発明の詳細な説明】
【技術分野】
【０００１】
本発明は、電子ピアノなどに用いられる鍵盤楽器の鍵盤装置に関する。
【背景技術】
【０００２】
図３は、従来の電子ピアノの鍵盤装置を示している。同図に示すように、この鍵盤装置５１は、水平な棚板５２と、棚板５２に載置されたシャーシ５３と、シャーシ５３の後端部に回動自在に取り付けられた複数の鍵５４と、鍵５４ごとに設けられ、シャーシ５３の中央部に回動自在に取り付けられた複数のハンマー５５と、棚板５２とシャーシ５３の間に配置されるとともに、シャーシ５３に直接、取り付けられ、これを補強する複数のリブ５６と、シャーシ５３に取り付けられ、鍵５４の押鍵情報を検出する鍵スイッチ５７などで構成されている。リブ５６は、金型を用いて曲げプレス加工された１枚の鋼板で構成され、オクターブごとに設けられ、シャーシ５３の前後方向にわたって延び、これにねじ止めされている。鍵スイッチ５７は、電子ピアノ５８の発音を制御する制御装置（図示せず）に接続されている。
【０００３】
この構成の鍵盤装置５１は、シャーシ５３に鍵５４、ハンマー５５、リブ５６および鍵スイッチ５７を取り付けた後、連結部材５９を介して棚板５２にねじ止めすることによって、組み立てられる。
【０００４】
以上の構成により、鍵５４は押鍵によって下方に回動し、それに伴ってハンマー５５が図３の時計方向に回動するとともに、その回動の途中でハンマー５５が鍵スイッチ５７を押圧することによって、鍵５４の押鍵情報が検出され、この押鍵情報に応じた楽音が生成される。このように、シャーシ５３は、押鍵時に回動する鍵５４やハンマー５５を支持するものであり、リブ５６は、シャーシ５３の剛性を補強することによって、押鍵時におけるシャーシ５３の撓み、特に前後方向に沿うシャーシ５３の撓みを抑制する役割を果たす。それにより、鍵５４やハンマー５５の回動のストロークや鍵スイッチ５７の押圧タイミングのばらつきが抑制され、電子ピアノ５８の動作が適正に保たれる。
【０００５】
また、従来の他の鍵盤装置として、特許文献１に開示されたものが知られている。この鍵盤装置は、左右方向に並んだ複数のシャーシと、これらの複数のシャーシを互いに連結する連結部材と、シャーシに回動自在に取り付けられた複数の鍵と、鍵ごとにシャーシに取り付けられたハンマーや鍵スイッチなどで構成されており、リブは省略されている。
【０００６】
この構成の鍵盤装置は、複数のシャーシを連結部材により互いに連結し、次いで、連結されたシャーシに鍵、ハンマーや鍵スイッチなどを取り付けた後、シャーシを連結部材を介して棚板にねじ止めすることによって、組み立てられる。
【０００７】
前述したように、図３に示す従来の鍵盤装置５１では、リブ５６が棚板５２とシャーシ５３の間に配置されているため、同じ空間に設けられる鍵５４やハンマー５５などを、リブ５６を避けて配置しなければならない。このため、鍵５４やハンマー５５などの配置の自由度が低くなり配置が複雑になるため、鍵盤装置５１の組立および分解に手間がかかる。同じ理由から、棚板５２とシャーシ５３の間にリブ５６をシャーシ５３に取り付けるのに十分なスペースを確保することが必要になり、鍵盤装置５１の大型化、ひいては楽器本体の大型化の原因になる。また、リブ５６は、シャーシ５３に直接、取り付けられるため、図３に示すような複雑な形状にならざるを得ず、リブ５６を成形するための金型の形状も複雑になり、その分、製造コストが増大してしまう。
【０００８】
一方、特許文献１に開示された鍵盤装置は、リブが省略されているので、鍵盤装置の組立および分解を比較的容易に行うことができる。しかし、一方では、リブによるシャーシの補強効果が得られないため、押鍵時に、前後方向に沿うシャーシの撓みが大きくなり、それにより、鍵やハンマーの回動のストロークや鍵スイッチの押圧タイミングがばらつき、電子ピアノの動作を適正に保つことができなくなる。
【０００９】
本発明は、このような課題を解決するためになされたものであり、楽器本体を大型化することなく、シャーシの撓みを抑制できるとともに、組立および分解を容易に行うことができる鍵盤楽器の鍵盤装置を提供することを目的とする。
【００１０】
【特許文献１】特開平１１−３２７５３９号公報
【発明の開示】
【課題を解決するための手段】
【００１１】
この目的を達成するために、請求項１に係る発明は、棚板と、棚板に載置されたシャーシと、シャーシに回動自在に支持された複数の鍵と、棚板のシャーシを載置した面と反対側の面に取り付けられるとともに、シャーシに連結され、シャーシを補強するリブと、を備えていることを特徴とする。
【００１２】
この鍵盤楽器の鍵盤装置によれば、シャーシにリブが連結されているので、シャーシの剛性がリブによって補強される。これにより、押鍵時に、鍵を支持するシャーシの撓みを抑制することができる。また、リブは、棚板のシャーシを載置した面と反対側の面に取り付けられていて、棚板とシャーシの間には配置されていない。したがって、鍵などの配置の自由度が高められることによって、組立および分解を容易に行うことができる。同じ理由から、リブを棚板とシャーシの間に配置していた従来の鍵盤装置と比較して、棚板とシャーシの間のスペースや高さを小さくすることができ、それにより、鍵盤装置のコンパクト化によって、楽器本体を小型化することが可能になる。さらに、リブが棚板に取り付けられているので、リブによって棚板も補強できる。その結果、棚板の厚さを小さくすることができ、それにより、楽器本体をさらに小型化できるとともに、楽器本体の軽量化を図ることができる。
【００１３】
請求項２に係る発明は、請求項１に記載の鍵盤楽器の鍵盤装置において、リブは、棚板に沿って延びており、棚板に取り付けられた取付部と、取付部から屈曲して延びる屈曲部と、によって構成されていることを特徴とする。
【００１４】
この構成によれば、リブが棚板に沿って延びるとともに、棚板に取り付けた取付部から屈曲部が屈曲して延びているので、この屈曲部によってリブの剛性が高められることにより、シャーシの剛性を十分に補強でき、それにより、シャーシの撓みを十分に抑制することができる。また、リブは、上記のような取付部と屈曲部で構成されていて、その形状が単純であるので、例えばアングル材を用いることも可能になり、それにより、製造コストを削減することができる。
【発明を実施するための最良の形態】
【００１５】
以下、図面を参照しながら、本発明の好ましい実施形態を、詳細に説明する。図１は、本発明の実施形態による電子ピアノ１（鍵盤楽器）の鍵盤装置２を示している。なお、以下の説明では、電子ピアノ１を演奏者から見た場合の手前側（図１の左側）を「前」、奥側（図１の右側）を「後」とし、さらに鍵の並び方向を「左右方向」として、説明を行うものとする。同図に示すように、この鍵盤装置２は、水平な棚板３と、棚板３に載置された複数のシャーシ４（１つのみ図示）と、シャーシ４に回動自在に支持された、複数の白鍵５ａおよび黒鍵５ｂ（ともに１つのみ図示）から成る鍵５と、鍵５ごとに設けられ、シャーシ４に回動自在に支持された複数のハンマー６（１つのみ図示）と、シャーシ４に取り付けられ、鍵５の押鍵情報を検出する鍵スイッチ７と、棚板３の下面に取り付けられた複数のリブ８（１つのみ図示）などで構成されている。
【００１６】
複数のシャーシ４は、左右方向に並んだ状態で配置され、４つの連結バー９によって互いに連結されている。各シャーシ４は、例えばＡＢＳ樹脂などの合成樹脂の成形品で構成されている。図１に示すように、シャーシ４の後端部には、鍵５を支持する鍵用軸孔４ａが、中央部には、ハンマー６を支持するハンマー用軸穴４ｂが、それぞれ形成されている。また、シャーシ４には、鍵５およびハンマー６の回動を規制するために、鍵下限ストッパ１０、鍵上限ストッパ１１、ハンマー下限ストッパ１２、およびハンマー上限ストッパ１３が、それぞれ所定の位置に取り付けられている。これらのストッパ１０〜１３はいずれも、シャーシ４の左右方向の全体にわたる１本の帯状の緩衝材、例えば発泡ウレタンなどで構成されている。
【００１７】
シャーシ４のハンマー用軸穴４ｂの後ろ側には、鍵スイッチ７が取り付けられている。鍵スイッチ７は、シャーシ４にねじ止めされたプリント基板７ａと、その上面に鍵５ごとに設けられた複数のスイッチ本体７ｂ（１つのみ図示）などを備えている。スイッチ本体７ｂは、プリント基板７ａを介して、電子ピアノ１の発音を制御する制御装置（図示せず）に接続されている。
【００１８】
４つの連結バー９は、前後方向に間隔を隔てた所定の位置に配置されており、具体的には、シャーシ４の前端部、鍵上限ストッパ１１のすぐ後ろ側、ハンマー用軸穴４ｂおよび鍵用軸孔４ａ付近に、それぞれ設けられている。各連結バー９は、例えば鋼板を曲げ加工することによって形成されており、シャーシ４の左右方向の全体にわたって延びている。各連結バー９は、上側の水平なシャーシ取付部９ａと、下側の水平な棚板取付部９ｂと、シャーシ取付部９ａおよび棚板取付部９ｂをつなぐ鉛直な鉛直部９ｃによって構成されている。各シャーシ取付部９ａには、所定の間隔ごと、例えばオクターブごとに複数の孔９ｄ（１つのみ図示）が形成されている。一方、シャーシ４には、これらの孔９ｄに対応する位置に複数のねじ孔４ｃが形成されている。各連結バー９は、シャーシ取付部９ａの孔９ｄを介して下側から通したねじ１７をシャーシ４のねじ孔４ｃにねじ込むことによって、シャーシ４に固定され、シャーシ４を相互に連結する。また、各棚板取付部９ｂには、ねじ止め用の複数のねじ孔９ｅ（１つのみ図示）が、オクターブごとに形成されている。
【００１９】
棚板３は、例えばＭＤＦやパーティクルボードなどの木質材で構成されている。棚板３には、複数の連結バー９の棚板取付部９ｂのねじ孔９ｅに対応する位置に複数の孔３ａが形成されている。
【００２０】
鍵５（白鍵５ａおよび黒鍵５ｂ）は、例えばＡＢＳ樹脂などの合成樹脂の射出成形品で構成されている。鍵５の後端部の両側面には、側方に突出する突起１４，１４（１つのみ図示）が形成されており、これらの突起１４，１４がシャーシ４の後端部の鍵用軸孔４ａに係合することによって、鍵５がシャーシ４に回動自在に支持されている。また、鍵５の後端部には、突起１４よりも前側に、下方に突出するアクチュエータ部１５が形成されている。さらに、鍵５の前部の両側面には、下方に延びるフック状のストッパ部１６が形成されている。
【００２１】
ハンマー６は、前後方向に延びるハンマー本体６ａと、ハンマー本体６ａの前部の左右両面に取り付けられた２枚の質量板６ｂ，６ｂ（１つのみ図示）を備えている。ハンマー本体６ａの後端部の両側面には、側方に突出する突起６ｃ，６ｃ（１つのみ図示）が形成されており、これらの突起６ｃ，６ｃがシャーシ４のハンマー用軸穴４ｂに係合することによって、ハンマー６がシャーシ４に回動自在に支持されている。また、ハンマー本体６ａの突起６ｃよりも後ろ側には、スイッチ押圧部６ｄが形成されている。スイッチ押圧部６ｄは、鍵スイッチ７のスイッチ本体７ｂに上方から対向するとともに、スイッチ押圧部６ｄには、鍵５のアクチュエータ部１５が上方から当接している。
【００２２】
複数のリブ８は、オクターブごとに配置されている。各リブ８は、シャーシ４および棚板３を補強するためのものであり、細長い１本の金属製のアングル材で構成され、棚板３の前後方向のほぼ全体にわたって延びている。図２に示すように、リブ８は、前後方向に延びる取付部８ａと、取付部８ａの一端から下方に直角に屈曲する屈曲部８ｂと、によって構成され、Ｌ字形の断面形状を有している。取付部８ａには、連結バー９の棚板取付部９ｂのねじ孔９ｅに対応する位置に、４つの孔８ｃが形成されている。そして、リブ８の取付部８ａおよび棚板３の孔８ｃ，３ａに、下側からねじ１８を通し、このねじ１８を棚板取付部９ｂのねじ孔９ｅにねじ込むことによって、シャーシ４が連結バー９を介して棚板３に固定されると同時に、リブ８が棚板３にそれぞれ固定されている。また、リブ８が棚板３および連結バー９を介してシャーシ４に連結されている。
【００２３】
以上の構成により、図１に示す離鍵状態から鍵５が押鍵されると、鍵５は鍵用軸孔４ａを中心として反時計方向に回動し、それに伴い、ハンマー６は、スイッチ押圧部６ｄが鍵５のアクチュエータ部１５で押圧されることによって、ハンマー用軸穴４ｂを中心として時計方向に回動する。この回動の途中で、ハンマー６のスイッチ押圧部６ｄが、鍵スイッチ７のスイッチ本体７ｂを押下し、オン動作させることによって、鍵５の押鍵情報が検出され、その検出結果に応じて、制御装置により電子ピアノ１の発音が制御される。
【００２４】
以上のように、本実施形態によれば、シャーシ４に連結バー９および棚板３を介してリブ８が連結されているので、シャーシ４の剛性がリブ８によって補強される。また、リブ８が棚板３の前後方向のほぼ全体にわたって延びるとともに、棚板３に取り付けた取付部８ａから屈曲部８ｂが屈曲して延びているので、この屈曲部８ｂによってリブ８の剛性が高められる。これにより、押鍵時に、前後方向に沿うシャーシ４の撓みを抑制することができ、鍵５やハンマー６の回動のストロークや鍵スイッチ７の押圧タイミングのばらつきを抑制でき、電子ピアノ１の動作を適正に保つことができる。
【００２５】
また、リブ８は、棚板３の下面に取り付けられていて、棚板３とシャーシ４の間には配置されていない。したがって、鍵５やハンマー６などの配置の自由度が高められることによって、鍵盤装置１の組立および分解を容易に行うことができる。同じ理由から、リブ８を棚板３とシャーシ４の間に配置していた従来の鍵盤装置と比較して、棚板３とシャーシ４の間のスペースや高さを小さくすることができる。それにより、鍵盤装置２のコンパクト化によって、電子ピアノ１を小型化することができる。また、リブ８が棚板３に取り付けられているので、リブ８によって棚板３も補強できる。その結果、棚板３の厚さを小さくすることができ、それにより、電子ピアノ１をさらに小型化できるとともに、電子ピアノ１の軽量化を図ることができる。
【００２６】
さらに、リブ８が安価なアングル材で構成されているので、製造コストを削減することができる。さらには、複数のリブ８が棚板３に取り付けられていることにより、棚板３が剛性の高いリブ８によって音響的に仕切られ、演奏時の棚板３の振動を抑制でき、それに起因する雑音の発生を抑制することができる。
【００２７】
なお、本発明は、説明した実施形態に限定されることなく、種々の態様で実施することができる。例えば、実施形態では、リブ８の断面形状は、Ｌ字形であるが、他の適当な形状、例えばＵ字形やＴ字形などにしてもよい。また、リブ８の屈曲部８ｂは、取付面８ａに対して直角に屈曲しているが、斜めでもよい。さらに、リブ８をオクターブごとに配置しているが、これに限らず、棚板３の振動を抑制できる範囲内で、配置の間隔を任意に設定することが可能である。また、実施形態は、棚板３を水平に配置した例であるが、棚板が水平以外の状態で配置されていてもよいことは、もちろんである。さらに、電子ピアノのケースがボックス状に形成されていて、その底板部にシャーシが載置されている場合には、底板部も棚板に含まれることは、もちろんである。
【００２８】
さらに、本実施形態は、本発明を電子ピアノに適用した例であるが、本発明を、これに限らず、シンセサイザなどの他のタイプの電子楽器、あるいはアコースティックピアノなどに適用してもよいことは、もちろんである。その他、本発明の趣旨の範囲内で、細部を適宜、変更することが可能である。
【図面の簡単な説明】
【００２９】
【図１】本発明の実施形態による電子ピアノの鍵盤装置の側面図である。
【図２】図１のリブの斜視図である。
【図３】従来の電子ピアノの鍵盤装置の側面図である。
【符号の説明】
【００３０】
１  電子ピアノ（鍵盤楽器）
２  鍵盤装置
３  棚板
４  シャーシ
５  鍵
８  リブ
８ａ  取付部
８ｂ  屈曲部
【図１】
2006047837.tif 000003
【図２】
2006047837.tif 000004
【図３】
2006047837.tif 000005